(57)【要約】【課題】吹出し口の露付を減少させて品質を向上させ、また結露が発生した場合でも吹出部から外へ露垂れが生じないようにした空気調和機の室内機等を提供すること。【解決手段】前面側が前面パネル８で覆われ、内部に風路５が形成されて熱交換器３及び送風手段４が設けられた空気調和機の室内機であって、風路５を形成するケーシング９はその先端部が風路５の吹出し口７近傍において背面側に折り返えされて折り返し部９０が形成され、前面パネル８は背面側の基部近傍から前面側上方に向かう傾斜面８１が形成されてその先端部が背面側に折り返されて折り曲げ部８０が形成され、折り曲げ部８０の上辺８２を折り返し部９０の下面９２と当接させ、前面パネル８の折り曲げ部８０の先端部をケーシング９の折り返し部９０の先端部より背面側に位置させた。【選択図】図３
2011106751.tif 000002
【特許請求の範囲】
【請求項１】
前面側が前面パネルで覆われ、内部に風路が形成されて該風路内に熱交換器及び送風手段が設けられ、前記送風手段により吸込み口から前記風路内に空気を吸い込んで前記熱交換器で熱交換し、前記風路の吹出し口から調和空気を吹き出す空気調和機の室内機であって、
前記風路を形成するケーシングはその先端部が前記風路の吹出し口近傍において背面側に折り返えされて折り返し部が形成され、前記前面パネルは背面側の基部近傍から前面側上方に向かう傾斜面が形成されてその先端部が背面側に折り返されて折り曲げ部が形成され、該折り曲げ部の上辺を前記折り返し部の下面と当接させ、
前記前面パネルの折り曲げ部の先端部を前記ケーシングの折り返し部の先端部より背面側に位置させたことを特徴とする空気調和機の室内機。
【請求項２】
前記ケーシングの折り返し部および前記前面パネルの折り曲げ部はそれぞれ鋭角をなしていることを特徴とする請求項１記載の空気調和機の室内機。
【請求項３】
前記前面パネルの折り曲げ部の上辺は前面側に下方に向かって傾斜し、前記ケーシングの折り返し部の下面に対して開き角度を形成するようにしたことを特徴とする請求項１または２記載の空気調和機の室内機。
【請求項４】
前記前面パネルの折り曲げ部の上辺に段差を形成して前側に拡幅するようにしたことを特徴とする請求項１または２記載の空気調和機の室内機。
【請求項５】
前記ケーシングの折り返し部の下面に吸水テープを貼り付けたことを特徴とする請求項１〜４のいずれかに記載の空気調和機の室内機。
【請求項６】
請求項１〜５のいずれかに記載の室内機を備えたことを特徴とする空気調和機。
【発明の詳細な説明】
【技術分野】
【０００１】
本発明は、空気調和機の室内機及びこれを備えた空気調和機に係り、より詳しくは、吹出し口近傍において冷房時の露付きを防止することができる空気調和機の室内機及びこれを備えた空気調和機に関するものである。
【背景技術】
【０００２】
従来の空気調和機の室内機は、吹出し口の近傍において、風路を形成するケーシングの先端部に前面パネルの当接部が近接しており、しかも前面パネルの当接部はその先端側が平坦に形成されていた（例えば、特許文献１参照。）。
【先行技術文献】
【特許文献】
【０００３】
【特許文献１】特開２００７−１６３０１９号公報（第４項  図１）
【発明の概要】
【発明が解決しようとする課題】
【０００４】
特許文献１の空気調和機の室内機は、吹出し口の近傍の冷却された部分に湿った外気（熱交換器を通過していない空気）が接し、あるいは滞留して、空気中の水分が凝固し、結露が発生する場合があった。これは、風路を形成するケーシングの吹出し口先端とこれに当接する前面パネルの当接部先端とが近接しており、冷房使用時にケーシングに近接する前面パネルの当接部先端が冷却されるため、外気と接する前面パネルの当接部先端の表面に結露が生じるためである。また、前面パネルの当接部先端は平坦になっているため、吹き出し風に巻き込まれる外気はスムーズに前方に流れずに巻き込まれ、外気滞留によって結露が生じるためである。こうして露垂れが生じると、空気調和機の室内機の品質が低下してしまう。露垂れを防止するために、吹出し口の下部に吸水効果のあるテープを貼り付けることも考えられるが、貼り付け面積を大きくすることができず、吸水力を高くすることはできなかった。
【０００５】
本発明は上記のような課題を解決するためになされたもので、吹出し口の露付を減少させて品質を向上させることができる空気調和機の室内機及びこれを備えた空気調和機を提供することを目的とする。
また、結露が発生した場合でも、吹出部から外へ露垂れが生じるのを防止して品質を向上させることができる空気調和機の室内機及びこれを備えた空気調和機を提供することを目的とする。
【課題を解決するための手段】
【０００６】
本発明の空気調和機の室内機は、前面側が前面パネルで覆われ、内部に風路が形成されて風路内に熱交換器及び送風手段が設けられ、送風手段により吸込み口から風路内に空気を吸い込んで熱交換器で熱交換し、風路の吹出し口から調和空気を吹き出す空気調和機の室内機であって、
風路を形成するケーシングはその先端部が風路の吹出し口近傍において背面側に折り返えされて折り返し部が形成され、前面パネルは背面側の基部近傍から前面側上方に向かう傾斜面が形成されてその先端部が背面側に折り返されて折り曲げ部が形成され、折り曲げ部の上辺を折り返し部の下面と当接させ、前面パネルの折り曲げ部の先端部をケーシングの折り返し部の先端部より背面側に位置させたものである。
また、本発明に係る空気調和機は、上記の室内機を備えたものである。
【発明の効果】
【０００７】
空気調和機の室内機の前面パネルの折り曲げ部先端をケーシングの折り返し部先端より後方に距離を隔てて配設したので、露付を減少させて品質を向上させることができる。
【図面の簡単な説明】
【０００８】
【図１】本発明の実施の形態１に係る空気調和機の室内機の斜視図である。
【図２】図１の断面図である。
【図３】図２の要部を拡大した断面図である。
【図４】本発明の実施の形態２に係る空気調和機の室内機の要部を拡大した断面図である。
【発明を実施するための形態】
【０００９】
実施の形態１．
図１〜図３に示すように、空気調和機の室内機の本体１には、熱交換器３と送風機４（送風手段）とが設けられており、これらは室内機本体１の筐体２によって支持されている。熱交換器３と送風機４とは室内機本体１の風路５内に配設されており、風路５の上流側には吸込み口６が設けられ、下流側には吹出し口７が設けられている。送風機４は吸込み口６から空気を吸い込み、フィルタ６ａで清浄化されて熱交換器３を通り、熱交換器３によって熱交換されて冷風又は温風（以下、調和空気という）となって吹出し口７から吹き出す。
なお、本体１の前面側には前面パネル８が設けられており、背面側には据付板１０が設けられている。
【００１０】
風路５の背面側には吹出し口７方向に空気を導く断面弧状のケーシング９を備え、吹出し口７で室内機本体１の背面側に折り曲げられてほぼく字状の折り返し部９０を形成し、折り返し面９２は背面側に延設されて室外機の下面９４を構成する。
一方、前面パネル８は風路５の吹出し口７で開口され、下縁部でケーシング９の折り返し面９２の基部に係止する。前面パネル８の下縁部は前面側に向かって上方に傾斜したのちほぼＵ字状に折り曲げられて折り曲げ部８０が形成され、その上辺８２はケーシング９の折り返し面９２の下面に当接する。
【００１１】
そして、前面パネル８の折り曲げ部８０の先端部を風路５の外側に位置させ、ケーシング９の折り返し部９０の先端部より所定の距離だけ背面側に離して位置させてある。こうして、前面パネル８の折り曲げ部８０とケーシング９の折り返し部９０とによって、吹出し口７における冷房時の露付きを抑制する。
【００１２】
図３を用いてより詳しく説明すると、ケーシング９の吹出し口７の先端部、すなわち折り返し部９０の先端部は、下側前方に大きく張り出している。すなわち、ケーシング９は吹出し口７側に向かって下方に傾斜し、折り返し面９２はほぼ水平に形成されて折り返し部９０は鋭角αをなし、折り返し面９２は所定の距離だけ背面側に延設されたのち下方に段差部９３を形成し、さらに後面側に延設されて室外機の下面９４を形成している。なお、段差部９３には前面側に開口する係止孔９３ａが設けられており、前面パネル８の背面側縁部の係止片８０ａが係止する。
【００１３】
一方、前面パネル８の折り曲げ部８０は、前面パネル８の背面側縁部の近傍から前面側から上方に向かい傾斜し、下側から流れてくる外気Ｙを滑らかに前方に送るようにした傾斜面８１と、背面側に鋭角βで折り返された後上方に傾斜し、折り返し部９０の折り返し面９２の下面に当接する上辺８２とを有する。
【００１４】
前面パネル８の折り曲げ部８０の先端部は、ケーシング９の折り返し部９０先端部よりも所定の距離ｌだけ後退しており、さらに、折り返し部９０のほぼ水平の折り返し面９２に対して折り曲げ部８０の上辺８２は前面側に向かって下方に傾斜しており、先端部に向かうほど折り返し面９２との間が広がって開き角度γを形成する。このようにして、折り返し部９０の先端部と折り曲げ部８０の先端部とを前後方向及び上下方向に離し、折り曲げ部８０の先端部を吹出し口７から吹き出す調和空気から離し、直接冷気に接触して冷却されないようにして着露量を低減させている。
【００１５】
上記の説明では、ケーシングの折り返し部９０の折り返し面９２に対して前面パネル８の折り曲げ部８０は上辺８２が前側に開き角度γを持ちこれによってその先端を下方向に離しているが、折り曲げ部８０の上辺８２に前側に拡幅する段差を形成してその先端部を折り返し部９０の先端部から下方向に離すようにしてもよい（図示せず）。
要するに、ケーシング９によって前面パネル８の折り曲げ部８０が冷却されないように、折り返し部９０の先端部と折り曲げ部８０の先端部とを離すようにすればよい。
【００１６】
次に、動作を説明する。
送風機４は吸込み口６から空気を風路５内に吸い込み、フィルタ６ａで清浄化されて熱交換器３を通り、風路５を通過したのち吹出し口７から吹き出す。冷房時には、風路５内に吸い込まれた空気は熱交換器３によって熱交換されて冷却され、送風機４により押し出されてケーシング９の形状に沿ってＸ方向に吹き出す。このとき、ケーシング９の折り返し部９０の先端部と前面パネル８の折り曲げ部８０の先端部とは、前後方向及び上下方向に距離を隔てて配置されているため、折り曲げ部８０が吹出し口７から吹き出す冷気によって冷やされることがない。また、折り曲げ部８０の先端は鋭角となっているため、下部からＹ方向に流れてくる外気を滑らかに前方に押し出し、折り曲げ部８０の先端部で外気が滞留することがない。
こうして、吹出し口７下部の露付が減少して結露の発生を抑制し、品質を向上させることができる。
【００１７】
実施の形態２．
本実施の形態２では、図４に示すように、ケーシング９の折り返し部９０の折り返し面９２の下面に、吸水効果を持つ吸水テープ１１を貼り付けたもので、吸水テープ１１の下面には前面パネル８の折り曲げ部８０の上辺８２が前面側に下方傾斜した状態で当接している。
【００１８】
ケーシング９の折り返し部９０の先端部は下側前方に大きく張り出しており、前面パネル８の折り曲げ部８０の先端部はこれよりも背面側の下方に位置しているので、折り返し部９０の折り返し面９２の下面には、広範囲にわたり面積が大きくて吸水力の高い吸水テープ１１を貼り付けることができ、これによって吸水性を高めることができる。
こうして、吹出し口７に結露した場合であっても、吸水テープ１１により充分に吸水することができ、吹出し口７下部の結露水が吹出し口７から落下することもなく、品質を向上させることができる。
その他の構成、作用、効果は実施の形態１に示した場合と同様なので、説明を省略する。
【符号の説明】
【００１９】
１  室内機本体、３  熱交換器、４  送風機（送風手段）、５  風路、６  吸込み口、７  吹出し口、８  前面パネル、９  ケーシング、１１  吸水テープ、８０  折り曲げ部、８１  傾斜面、８２  上辺（折り曲げ部の上辺）、９０  折り返し部、９２  折り返し面（折り返し部の下面）。
【図１】
2011106751.tif 000003
【図２】
2011106751.tif 000004
【図３】
2011106751.tif 000005
【図４】
2011106751.tif 000006